(57)【要約】【課題】店舗における荷物預かりのための装置、方法及びそのためのプログラムにおいて、荷物を預ける利用者の負担を低減する。【解決手段】店舗装置５００は、表示画面５０１と、利用者の荷物を撮影するための撮影部５０２と、データを送受信するための通信部５０３と、データを処理するための処理部５０４と、データを記憶するための記憶装置又は記憶媒体を含む記憶部５０５とを備え、表示画面５０１に表示された利用者の予約内容に沿って、撮影部５０２により、利用者の１又は複数の荷物のそれぞれの写真を撮影する。撮影された１又は複数の荷物の写真又はこれに対応する１又は複数の写真を通信部５０３により、サーバ５１０に送信する。サーバ５１０に送信されると、利用者端末５２０においても当該サーバと通信して、撮影若しくは送信された写真又はこれに対応する写真が閲覧可能となり、これが預かり証としての役割を果たす。【選択図】図５
2020095762.tif 000002
【特許請求の範囲】
【請求項１】
利用者の１又は複数の荷物を店舗にて預かるための店舗装置を用いた方法であって、
前記店舗装置の表示画面が、前記利用者の予約内容を表示するステップと、
前記店舗装置の撮像部が、前記予約内容に含まれる前記利用者の１又は複数の荷物の写真をそれぞれ撮影するステップと、
前記店舗装置の通信部が、撮影された前記１又は複数の荷物のそれぞれの写真又はこれに対応する１又は複数の写真を前記店舗装置と通信可能なサーバに送信するステップと、
前記店舗装置の前記表示画面が、前記利用者が前記サーバと通信可能な利用者端末に表示させた前記１又は複数の荷物のそれぞれの写真又はこれに対応する１又は複数の写真と前記店舗装置にて表示可能な１又は複数の写真との前記店舗の従業員による照合の結果が返却可であることを表す入力を受け付けるステップと
を含むことを特徴とすることを特徴とする方法。
【請求項２】
前記店舗装置は、携帯端末であることを特徴とする請求項１に記載の方法。
【請求項３】
前記１又は複数の荷物のそれぞれの写真又はこれに対応する１又は複数の写真には識別記号が付加されることを特徴とする請求項１又は２に記載の方法。
【請求項４】
前記照合の前に、前記店舗装置の前記表示画面が、前記店舗装置にて表示可能な１又は複数の写真とともに前記利用者の顔写真又はプロフィール写真を表示するステップをさらに含むことを特徴とする請求項１から３のいずれかに記載の方法。
【請求項５】
店舗装置に、利用者の１又は複数の荷物を店舗にて預かるための方法を実行させるためのプログラムであって、前記方法は、
前記店舗装置の表示画面が、前記利用者の予約内容を表示するステップと、
前記店舗装置の撮像部が、前記予約内容に含まれる前記利用者の１又は複数の荷物の写真をそれぞれ撮影するステップと、
前記店舗装置の通信部が、撮影された前記１又は複数の荷物のそれぞれの写真又はこれに対応する１又は複数の写真を前記サーバに送信するステップと、
前記店舗装置の前記表示画面が、前記利用者が前記サーバと通信可能な利用者端末に表示させた前記１又は複数の荷物のそれぞれの写真又はこれに対応する１又は複数の写真と前記店舗装置にて表示可能な１又は複数の写真との前記店舗の従業員による照合の結果が返却可であることを表す入力を受け付けるステップと
を含むことを特徴とすることを特徴とするプログラム。
【発明の詳細な説明】
【技術分野】
【０００１】
本発明は、店舗における荷物預かりのための装置、方法及びそのためのプログラムに関する。
【背景技術】
【０００２】
近年、日本では外国人観光客が急増しており、滞在地間の移動中、入出国の前後等に手荷物を持ち運ぶ姿がよく見かけられる。また、ライブコンサート等のイベントが開催されると、会場周辺では、スーツケースを持つ人を見かけることも少なくない。
【０００３】
現在、こうしたスーツケースなどの荷物を一時的に預ける手段として、コインロッカーが主に用いられている。
【発明の概要】
【発明が解決しようとする課題】
【０００４】
しかしながら、コインロッカーには問題点が少なくない。まず、たとえば渋谷駅で、どこにコインロッカーがあるのかが日常的に渋谷駅を用いている者でなければ分からない。次に、コインロッカーを探し当てたとしても、空いていないことが少なくない。渋谷には1000-2000個程度のコインロッカーしかないからである。さらに、大き目のスーツケースが入るサイズのコインロッカーとなると全体の数%に限られてしまい、コインロッカーを見つけても入れられないという状況が生じている。この状況は、今後さらに増えていく訪日外国人によって深刻さが増すことが予期され、換言すれば、荷物を一時的に預かるための仕組みに改善が求められている。
【０００５】
本発明は、このような問題点に鑑みてなされたものであり、その目的は、荷物預かりのための装置、方法及びそのためのプログラムにおいて、荷物を預ける利用者の負担を低減することにある。
【課題を解決するための手段】
【０００６】
このような目的を達成するために、本発明の第１の態様は、利用者の１又は複数の荷物を店舗にて預かるための店舗装置を用いた方法であって、前記利用者の予約内容を前記店舗装置の表示画面に表示するステップと、前記予約内容に沿って前記利用者の１又は複数の荷物の写真をそれぞれ撮影するステップと、撮影された前記１又は複数の荷物のそれぞれの写真又はこれに対応する１又は複数の写真を送信するステップとを含むことを特徴とする。
【０００７】
また、本発明の第２の態様は、第１の態様において、前記店舗装置が携帯端末であることを特徴とする。
【０００８】
また、本発明の第３の態様は、第１又は第２の態様において、前記１又は複数の荷物がそれぞれ手荷物であることを特徴とする。
【０００９】
また、本発明の第４の態様は、第１又は第２の態様において、前記１又は複数の荷物は異なるサイズ・カテゴリーの荷物をそれぞれ含むことを特徴とする。
【００１０】
また、本発明の第５の態様は、第１から第４のいずれかの態様において、前記予約内容に前記利用者の顔写真又はプロフィール写真が含まれることを特徴とする。
【００１１】
また、本発明の第６の態様は、第１から第５のいずれかの態様において、撮影された前記１又は複数の荷物の写真又はこれに対応する１又は複数の写真が前記店舗装置で表示可能とされることを特徴とする。
【００１２】
また、本発明の第７の態様は、第６の態様において、撮影された前記１又は複数の荷物の写真又はこれに対応する１又は複数の写真の少なくとも一部が前記店舗装置で前記利用者の顔写真又はプロフィール写真とともに表示されることを特徴とする。
【００１３】
また、本発明の第８の態様は、第１から第７のいずれかの態様において、前記送信は、前記店舗端末と通信可能なサーバへのアップロードであることを特徴とする。
【００１４】
また、本発明の第９の態様は、第８の態様において、前記サーバにアップロードされた前記１又は複数の荷物のそれぞれに対応する写真又はこれに対応する１又は複数の写真は、前記利用者の利用者端末で表示されるものであることを特徴とする。
【００１５】
また、本発明の第１０の態様は、第１から第７のいずれかの態様において、前記送信は、前記店舗端末から前記利用者端末への送信であることを特徴とする。
【００１６】
また、本発明の第１１の態様は、第８から第１０のいずれかの態様において、前記送信が完了したことに応じて、前記１又は複数の荷物のチェックインが完了したと判定するステップをさらに含むことを特徴とする。
【００１７】
また、本発明の第１２の態様は、第１から第１１のいずれかの態様において、前記１又は複数の荷物のそれぞれに対応する１又は複数の写真には識別記号が付加されることを特徴とする。
【００１８】
また、本発明の第１３の態様は、第１から第１２のいずれかの態様において、前記利用者が利用者端末に表示させた前記１又は複数の荷物のそれぞれの写真又はこれに対応する１又は複数の写真と前記店舗装置にて表示可能な１又は複数の写真との照合結果に基づいて、各荷物の返却可否を判断することを特徴とする。
【００１９】
また、本発明の第１４の態様は、店舗装置に、利用者の１又は複数の荷物を店舗にて預かるための方法を実行させるためのプログラムであって、前記方法は、前記利用者の予約内容を前記店舗装置の表示画面に表示するステップと、前記予約内容に沿って前記利用者の１又は複数の荷物の写真をそれぞれ撮影するステップと、撮影された前記１又は複数の荷物のそれぞれの写真又はこれに対応する１又は複数の写真を送信するステップとを含むことを特徴とする。
【００２０】
また、本発明の第１５の態様は、利用者の１又は複数の荷物を店舗にて預かるための店舗装置であって、前記利用者の予約内容を表示するための表示画面と、前記予約内容に沿って前記利用者の１又は複数の荷物の写真をそれぞれ撮影するための撮影部と、撮影された前記１又は複数の荷物のそれぞれの写真又はこれに対応する１又は複数の写真を送信する通信部とを含むことを特徴とする。
【００２１】
また、本発明の第１６の態様は、利用者の１又は複数の荷物を店舗にて預かるための店舗装置を用いた方法であって、前記利用者の予約内容を前記店舗装置の表示画面に表示させるステップと、前記予約内容に沿って撮影された前記利用者の１又は複数の荷物の写真又はこれに対応する１又は複数の写真を受信するステップと、受信した前記１又は複数の写真又はこれに対応する１又は複数の写真を前記利用者の利用者端末に送信するステップとを含むことを特徴とする。
【発明の効果】
【００２２】
本発明の一態様によれば、荷物預かりのための装置、方法及びそのためのプログラムにおいて、写真ないし画像を介したビジュアルコミュニケーションによって荷物預かりを行うことによって、荷物を預ける利用者の負担を低減することができる。
【図面の簡単な説明】
【００２３】
【図１】本発明の一態様にかかる利用者端末における店舗の表示例を示す図である。
【図２】本発明の一態様にかかる利用者端末における予約画面を示す図である。
【図３】本発明の一態様にかかる利用者端末における予約内容及び利用料金の確認画面を示す図である。
【図４】本発明の一態様にかかる店舗端末におけるチェックイン画面を示す図である。
【図５】本発明の一態様にかかる店舗装置を含む荷物預かりプラットフォームにかかるシステムを示す図である。
【図６】本発明の一態様にかかる店舗端末における写真撮影画面を示す図である。
【図７】本発明の一態様にかかる店舗端末におけるＵＬ完了画面を示す図である。
【図８】発明の一態様にかかる店舗端末における予約管理画面を示す図である。
【図９】本発明の一態様にかかるチェックインからチェックアウトまでの店舗装置における流れ図である。
【発明を実施するための形態】
【００２４】
以下、本発明の実施形態について図面を参照して詳細に説明する。
【００２５】
（本発明の概要）
本発明は、コインロッカーの供給量を短期的に増加させることは容易ではないことから、コインロッカー以外の施設の有効活用を図るものである。施設として、商品の販売又はサービスの提供を行う店舗に着目し、各店舗のたとえば一時的、断続的又は中長期的に使われていない場所、すなわち遊休スペースを利用する。
【００２６】
まず、店舗を登録する。店舗名、及び、住所又は地図上の位置の少なくとも一方のほか、保管可能な総荷物数又はサイズごとの荷物数の少なくとも一方、預かり可能日時、最寄り駅、最寄り駅からの徒歩時間、電話番号、メールアドレス等の連絡先、営業時間、休日、Ｗｉ−Ｆｉ（登録商標）、電源等の施設の有無、店舗のＵＲＬ、店舗の写真、ペットＯＫ等の備考などの一部又は全部を店舗登録情報として店舗登録者に入力を求めることができる。
【００２７】
登録された各店舗についての情報は、利用者は、この荷物預かりプラットフォームを提供するためのサーバ上のウェブサイト又は当該サーバと通信可能なスマートフォン、タブレット等の携帯端末にインストールされる利用者用のアプリから、閲覧可能又は検索可能である。図１は、アプリの地図１０１上に店舗位置１０２が示され、利用者が選択することで表示画面のたとえば下部区域１０３に店舗の概要が示される例を示している。代替的に、店舗の一覧を表示することもできる。
【００２８】
利用者は、一部の情報を後で追加してもよいが、あらかじめ、氏名又は略称のほか、電話番号、メールアドレス等の連絡先、顔写真、クレジットカード番号等の決済情報、国籍又は居住国などの一部又は全部をウェブサイト又はアプリから、利用者登録情報として入力する。
【００２９】
予約をするには、利用者は、店舗を選択して概要又は詳細を確認し、ウェブサイト又はアプリから、いつ・なにを預けるかの予約情報を入力する。荷物預かりサービスへのログインは、荷物情報の入力前だけでなく、入力後とすることもできる。図２は、アプリ内で店舗を選択後、荷物を預ける日付２０１、チェックイン時刻２０２、チェックアウト時刻２０３、サイズ又はサイズのカテゴリーごとの荷物数２０４を入力又は選択するための予約画面２００の一例である。ここで本明細書では、「チェックイン」とは、利用者が荷物を預けるための手続をすることを意味し、「チェックアウト」とは、利用者が預けた荷物を受け取るための手続をすることを意味する。
【００３０】
予約情報の入力又は選択がされた後、図３に示すように、利用者には予約内容及び利用料金が確認画面３００に提示され、確認が済むと予約が完了する。
【００３１】
本発明では、利用者が予約日時に店舗を訪れると、店舗の従業員が、スマホ、タブレットなどの携帯端末等により利用者の荷物を撮影して保存するとともに、利用者が用いる携帯端末に撮影した写真を送信し、当該写真を預かり証とする。このようにすることで、利用者はコインロッカーを探すのではなく、より探しやすい店舗を訪れればよく、また、荷物を店舗の従業員に渡せばよく、従来課されていた負担が大きく軽減される。
【００３２】
（預かり証の詳細）
図４に、本発明の一態様にかかる店舗端末におけるチェックイン画面を示す。店舗の従業員が用いる店舗装置５００は、上記荷物預かりプラットフォームを提供するためのサーバ５１０と通信可能な装置に店舗用のアプリをインストールすることにより構成される。あるいは、サーバ５１０から各画面をウェブページとして表示するためのソースコードを受信することによって構成される。店舗装置５００は、スマートフォン、タブレット等の携帯端末とすることが望ましく、その場合、本明細書では、店舗端末と呼ぶことがある。店舗装置５００でログインがなされると予約の一覧が閲覧可能となり、訪れた利用者の予約を選択することによって、チェックイン画面４００が表示される。予約は、一覧から選択するほか、検索可能としてもよい。
【００３３】
チェックイン画面４００には、予約者４０１、予約時間４０２、店舗名４０３、荷物数４０４、顔写真又はプロフィール写真４０５、チェックインボタン４０６等の予約内容が表示されている。予約が一意的に特定できればよく、店舗名４０３、荷物数４０４、プロフィール写真４０５等をこの画面で必ずしも表示しなければならないものではない。
【００３４】
チェックインボタン４０６を従業員がタップ又はクリックした後、図６に示すような、写真撮影画面６００が表示される。写真撮影画面６００を用いて、従業員は、預かる荷物ごとに写真を撮影して上記サーバ５１０に送信する。
【００３５】
店舗装置又は店舗端末５００からみると、当該装置は、表示画面５０１と、利用者の荷物を撮影するためのカメラなどの撮影部５０２と、データを送受信するための通信インターフェースなどの通信部５０３と、データを処理するためのプロセッサ、ＣＰＵなどの処理部５０４と、データを記憶するためのメモリ、ハードディスク等の記憶装置又は記憶媒体を含む記憶部５０５とを備え、撮影部５０２により撮影した利用者の１又は複数の荷物のそれぞれの写真またはこれに対応する写真を通信部５０３により、サーバ５１０又は利用者端末５２０に送信する。撮影された１又は複数の荷物の写真又はこれに対応する１又は複数の写真が店舗端末５００の記憶部５０５又は店舗端末５００からアクセス可能な記憶装置又は記憶媒体に記憶され、店舗端末５１０の表示画面５０１において表示させることができる。記憶される写真及び送信される写真は、必ずしも撮影された写真自体ではなく、圧縮、加工、変換等の処理が施されたものでもよい。また、たとえば、複数の荷物の写真を一枚の写真に加工して記憶又は送信してもよく、サイズ・カテゴリーごとに一枚の写真としてもよい。
【００３６】
店舗装置５００は、本明細書で説明する各処理を行うためのプログラム又はアプリを実行することによって各処理を実現することができ、当該プログラムは１又は複数のプログラムを含むことがあり、また、コンピュータ読み取り可能な記憶媒体に記録して非一過性のプログラムプロダクトとすることができる。
【００３７】
主に、店舗装置５００にアプリがインストールされ、当該アプリが動作することで店舗装置５００の表示画面５０１に各画面が表示される場合を例に説明するものの、サーバ５１０により提供されるウェブページとして各画面を店舗装置５００の表示画面５０１に表示することもできる。
【００３８】
サーバ５１０にアップロード（ＵＬ）されると、利用者端末５２０においても当該サーバと通信して、撮影若しくは送信された写真又はこれに対応する写真が閲覧可能となり、これが預かり証としての役割を果たす（図７参照）。利用者と店舗で同一又は対応する写真を偶然有している可能性は低く、店舗の従業員は、写真の照合をすることによって、荷物に受け取りに来た者がその荷物を預けた者であるか否かという返却可否を正しく判断することができる。サーバ５１０から利用者端末５２０に送信される写真は、必ずしもサーバ５１０が受信した写真自体ではなく、圧縮、加工、変換等の処理が施されたものでもよい。また、たとえば、受信した複数の写真を一枚の写真に加工してから送信してもよく、サイズ・カテゴリーごとに一枚の写真としてもよい。なお、サーバ５１０への送信ではなく、直接的に利用者端末５２０に送信することも考えられる。
【００３９】
送信が完了したことを受けて、チェックインの完了したことを店舗装置５００及びサーバ５１０の少なくとも一方において判定し、記憶することができる。特に、送信が完了したことのみを受けてチェックインの完了を判定してもよい。サーバ５１０の観点からは、一例として、受信が完了したこと又は受信が完了したことのみを受けてチェックインの完了の判定をすることができる。
【００４０】
照合は、従業員が行う場合のほか、店舗端末５００又はサーバ５１０における画像処理に基づいて行うことも考えられ、照合結果の従業員への提示までを自動化したり、照合結果に基づく最終的な返却可否の判断ないし判定までを自動化することが可能である。自動化が進む際には、店舗装置５００は携帯可能であることは必ずしも望ましくないことがあり、店舗のいずれかの位置に固定しておき、利用者が荷物を撮影部５０２の撮影可能範囲に配置したり、利用者がなんらかの入力をしたことに応じてチェックイン処理が開始されるようにしてもよい。
【００４１】
荷物は店舗の遊休スペースに一時保管されるが、各店舗が預かる荷物数は限定的であることから、多くの場合、必要に応じて名札、番号札等を貼っておけば足りる。
【００４２】
店舗端末では、図８に示すように、撮影した画像又はこれに関連づけられた画像がその他の予約情報とともに閲覧可能となり、利用者が荷物が受け取りに来た際には、写真の照合後チェックアウトボタンをタップ又はクリックして決済に進むことができる。利用者情報として決済情報を必須とすれば、利用者は必要に応じて最後に利用金額を確認するのみで、決済を自動化することができる。
【００４３】
写真を介したビジュアルコミュニケーションによって荷物預かりを行う本発明は、荷物を預けるのに必要な時間・負荷を低減し、荷物の一時保管の必要性がこれから急増していくことが見込まれる外国人観光客にとっては特に大きな利便性を与える。
【００４４】
上述の一連の処理を店舗装置を中心に流れ図に示すと図９のようになる。たとえば図４に示すチェックインボタン４０６をタップ又はクリックすることでチェックインが開始されると、店舗装置５００を用いて利用者の１又は複数の荷物の写真がそれぞれ撮影される（Ｓ９０１）。これらの１又は複数の荷物のそれぞれの写真又はこれに対応する写真はサーバ５１０又は利用者端末５３０に送信され（Ｓ９０２）、一例においては、送信の完了とともにチェックイン処理が完了したものとする。利用者が預けた１又は複数の荷物の受け取りに来たとき、店舗装置５００に表示可能な写真と利用者端末５２０に表示される写真との照合が行われ（Ｓ９０３）、照合結果に問題がなければ、たとえば図８に示すチェックアウトボタン８０１のタップ又はクリックがなされ、必要に応じて費用の支払いが行われてチェックアウトが終了する。照合は、写真に写された荷物ごとに行うことのほか、写真ごとに写真全体を照合することもできる。ここで、表示可能とは、店舗装置５００又はサーバ５１０において自動的に照合が行われるような場合には、必ずしも店舗装置５００において写真が表示されることが必要ではないことを意味する。
【００４５】
この一連の処理は、アプリではなくウェブサービスの場合には、一例として、サーバ５１０が、利用者の予約内容を店舗装置５００の表示画面５０１に表示させ、当該予約内容に沿って撮影されたその利用者の１又は複数の荷物の写真又はこれに対応する写真を受信し、当該１又は複数の荷物のそれぞれに対応する写真を利用者端末５２０に送信し、店舗装置５００と利用者端末５２０との間で写真の照合が行われるものとすることができる。サーバ５１０は、店舗装置５００と同様に、データを送受信するための通信インターフェースなどの通信部と、データを処理するためのプロセッサ、ＣＰＵなどの処理部と、データを記憶するためのメモリ、ハードディスク等の記憶装置又は記憶媒体を含む記憶部とを備え、各処理を行うためのプログラムを実行することによって構成することができ、当該プログラムは１又は複数のプログラムを含むことがあり、また、コンピュータ読み取り可能な記憶媒体に記録して非一過性のプログラムプロダクトとすることができる。
【００４６】
なお、利用者情報として、顔写真又はプロフィール写真の登録を必須とすれば、これをチェックアウト画面８００において、撮影した１又は複数の画像又はこれに関連づけられた１又は複数の画像の少なくとも一部とともにあるいは同時に閲覧可能として、荷物の引き渡しの際の誤りをビジュアルのみによって抑制することもできる。顔写真又はプロフィール写真の有用性は、チェックイン処理においても同様である。
【００４７】
また、荷物の写真に対して、荷物番号、整理番号、予約番号等の識別記号を付して利用者に与えることで、写真照合に加えて記号の照合も可能となる。識別記号は、たとえば、荷物ごと、予約ごと、又は写真ごとに付与してもよい。
【００４８】
また、店舗として、全国に出店している大型チェーン・ストアではなく、場所又は地域に関連付いた、いわばローカルな店舗を中心に登録することによって、無機質なコインロッカーに預けるのとは全く異なる、利用者と店舗との新たな接点を創出することができる。たとえば、カフェ、レンタサイクルショップ、着物レンタルショップ、お寺等を中心に店舗を登録すれば、外国人観光客には特に観光地の独自性に触れる機会となる。荷物を撮影した写真を預かり証とすることによる荷物を預け、預かる際の負荷の低減は、店舗の人を介在させることによって可能となるが、これは、単にコインロッカーに預けるために必要となる時間を短縮するのみならず、人と人の新たな接点を生み出し、遊休スペースのシェアを可能とする以上の意義を有する。
【００４９】
念のため、「××のみに基づいて」、「××のみに応じて」、「××のみの場合」というように「のみ」との記載がなければ、本明細書においては、付加的な情報も考慮し得ることが想定されていることに留意されたい。
【符号の説明】
【００５０】
１０１  地図
１０２  店舗位置
１０３  下部区域（概要表示区域）
２００  予約画面
２０１  荷物を預ける日付
２０２  チェックイン時刻
２０３  チェックアウト時刻
２０４  サイズごとの荷物数
３００  確認画面
４００  チェックイン画面
４０１  予約者
４０２  予約時間
４０３  店舗名
４０４  荷物数
４０５  プロフィール写真
４０６  チェックインボタン
５００  店舗装置
５０１  表示画面
５０２  撮影部
５０３  通信部
５０４  処理部
５０５  記憶部
５１０  サーバ
５２０  利用者端末
６００  写真撮影画面
７００  ＵＬ完了画面
８００  予約管理画面（チェックアウト画面）
８０１  チェックアウトボタン
【図１】
2020095762.tif 000003
【図２】
2020095762.tif 000004
【図３】
2020095762.tif 000005
【図４】
2020095762.tif 000006
【図５】
2020095762.tif 000007
【図６】
2020095762.tif 000008
【図７】
2020095762.tif 000009
【図８】
2020095762.tif 000010
【図９】
2020095762.tif 000011